(57)【要約】【課題】放電灯から発生するノイズのシールド効果を高め、低コスト化及び小型化を実現するとともに、イグナイタ部から放電灯までの伝達経路におけるパルス電圧の減衰を低減する。【解決手段】ケース４は、側面４０の開口４０ａに放電灯を挿入し、放電灯を装着するソケット５に対して、放電灯にパルス電圧を供給して放電灯を始動させるイグナイタ部６を、放電灯を制御する点灯回路部７より近くに位置するように、ソケット５、イグナイタ部６、及び点灯回路部７を収納している。また、ケース４は、導電材料である接続部４１を介して、導電材料により箱状に形成されている灯具本体と電気的に接続している。【選択図】図１
2006210009.tif 000002
【特許請求の範囲】
【請求項１】
放電灯を装着するソケットと、
前記放電灯にパルス電圧を供給して前記放電灯を始動させるイグナイタ部と、
前記放電灯の点灯を制御する点灯回路部と、
前記放電灯の周囲に設けられる反射板、及び前記反射板を収納する灯具本体のうち少なくとも一方と電気的に接続し、前記ソケットに対して前記イグナイタ部を前記点灯回路部より近くに位置するように、前記ソケット、前記イグナイタ部及び前記点灯回路部を収納するケースと
を備えることを特徴とする放電灯点灯装置。
【請求項２】
前記イグナイタ部は、接地電位を有する部分を前記ケースと電気的に接続するフィルタ部を備えることを特徴とする請求項１記載の放電灯点灯装置。
【請求項３】
前記点灯回路部が、前記ソケット側とは反対側に発熱部品を備えることを特徴とする請求項１又は２記載の放電灯点灯装置。
【請求項４】
前記発熱部品が、前記灯具本体の外部に露出することを特徴とする請求項３記載の放電灯点灯装置。
【請求項５】
前記イグナイタ部が、前記パルス電圧を発生するために、他励トリガ回路方式の半導体スイッチ素子を備えることを特徴とする請求項１〜４のいずれか記載の放電灯点灯装置。
【請求項６】
前記点灯回路部及び前記イグナイタ部が、同一の基板に実装されることを特徴とする請求項１〜５のいずれか記載の放電灯点灯装置。
【請求項７】
前記イグナイタ部及び前記点灯回路部のうち少なくとも一方が、
トランスと、
前記トランスの巻線を内部に配線する基板と
を備えることを特徴とする請求項１〜６のいずれか記載の放電灯点灯装置。
【請求項８】
請求項１〜７のいずれか記載の放電灯点灯装置と、
前記放電灯点灯装置により制御される放電灯と、
前記放電灯の周囲に設けられる反射板と、
前記反射板を内部に収納する灯具本体と
を備えることを特徴とする照明器具。
【請求項９】
前記ケースが前記灯具本体に固定することを特徴とする請求項８記載の照明器具。
【請求項１０】
前記ケースが前記反射板に固定し、
環状に形成され前記灯具本体と外周縁で接合し前記反射板と内周縁で接合する可動自在の弾性体を備える
ことを特徴とする請求項８記載の照明器具。
【請求項１１】
前記ケースが前記反射板に固定し、
環状に形成され前記灯具本体と外周縁で接合し前記ケースと内周縁で接合する可動自在の弾性体を備える
ことを特徴とする請求項８記載の照明器具。
【請求項１２】
前記ケースを前記灯具本体に収納することを特徴とする請求項８記載の照明器具。
【発明の詳細な説明】
【技術分野】
【０００１】
本発明は、放電灯の始動及び制御を行う放電灯点灯装置、及びこれを含む照明器具に関するものである。
【背景技術】
【０００２】
従来、この種の放電灯点灯装置は、放電灯を装着するソケット（バルブソケット）と、上記放電灯にパルス電圧を供給して放電灯を始動させるイグナイタ部と、上記放電灯の点灯を制御する点灯回路部（インバータ安定点灯回路部）とを備え、照明器具に設けられているものである。特許文献１には、イグナイタ部と点灯回路部とを一体に構成している放電灯点灯装置が開示されている。また、特許文献２には、ソケットとイグナイタ部とを一体に構成している放電灯点灯装置が開示されている。
【０００３】
また、近年、ＨＩＤ放電灯を光源とし、前照灯（ヘッドランプ）又は補助灯（フォグランプ）として用いられている照明器具は、大型車から小型車及び軽自動車に広がっている。これにより、上記照明器具内の放電灯点灯装置は、より一層の小型化及び低コスト化が望まれている。
【特許文献１】特開２００１−３３８５０６号公報（第３，４頁及び第２図）
【特許文献２】特開２００２−３６７４１４号公報（第３，４頁及び第１図）
【発明の開示】
【発明が解決しようとする課題】
【０００４】
しかしながら、上記従来の放電灯点灯装置は、一体に構成していない部品間をハーネスにより接続している。上記ハーネスは、ランプ電流の極性反転時に放電灯から発生するノイズを低減するために、メッシュ線等の非常に高価なノイズシールド線を用いなければならないという問題があった。特に、自動車の前方下面に配置される補助灯のように照明器具自体が非常に小型である場合、ソケット、イグナイタ部及び点灯回路部は全て灯具本体に収納されず、一部は灯具本体の外部に設けられている。これにより、上記ノイズシールド線を防水する必要があり、さらにコストが高くなるとともに大型になってしまうという問題もあった。また、従来の放電灯点灯装置は、イグナイタ部から放電灯に供給されるパルス電圧が、伝達経路上で減衰してしまうという問題もあった。
【０００５】
本発明は上記の点に鑑みて為されたものであり、その目的とするところは、放電灯から発生するノイズのシールド効果を高めることができ、低コスト化及び小型化を実現することができるとともに、イグナイタ部から放電灯までの伝達経路におけるパルス電圧の減衰を低減することができる放電灯点灯装置、及びこれを含む照明器具を提供することにある。
【課題を解決するための手段】
【０００６】
請求項１に記載の発明は、放電灯を装着するソケットと、前記放電灯にパルス電圧を供給して前記放電灯を始動させるイグナイタ部と、前記放電灯の点灯を制御する点灯回路部と、前記放電灯の周囲に設けられる反射板、及び前記反射板を収納する灯具本体のうち少なくとも一方と電気的に接続し、前記ソケットに対して前記イグナイタ部を前記点灯回路部より近くに位置するように、前記ソケット、前記イグナイタ部及び前記点灯回路部を収納するケースとを備えることを特徴とする。
【０００７】
この構成では、ケースを反射板又は灯具本体と同電位にして、放電灯から発生するノイズのシールド効果を高めることができるとともに、ソケット、イグナイタ部及び点灯回路部間をノイズシールド線で接続する必要がないので、低コスト化及び小型化を実現することができる。また、イグナイタ部から放電灯までの伝達経路におけるパルス電圧の減衰を低減することができる。
【０００８】
請求項２に記載の発明は、請求項１に記載の発明において、前記イグナイタ部は、接地電位を有する部分を前記ケースと電気的に接続するフィルタ部を備えることを特徴とする。この構成では、放電灯から発生するノイズをさらに低減することができる。
【０００９】
請求項３に記載の発明は、請求項１又は２に記載の発明において、前記点灯回路部が、前記ソケット側とは反対側に発熱部品を備えることを特徴とする。この構成では、発熱部品から発生する熱をケースに効果的に逃がして冷却することができる。
【００１０】
請求項４に記載の発明は、請求項３に記載の発明において、前記発熱部品が、前記灯具本体の外部に露出することを特徴とする。この構成では、発熱部品の放熱効果が高めることができるので、発熱部品の温度をさらに高くすることができ、安価な部品を使用することができる。
【００１１】
請求項５に記載の発明は、請求項１〜４のいずれかに記載の発明において、前記イグナイタ部が、前記パルス電圧を発生するために、他励トリガ回路方式の半導体スイッチ素子を備えることを特徴とする。この構成では、他励トリガ回路方式により、パルス電圧の上限値を制限することができるので、小型化を実現することができる。
【００１２】
請求項６に記載の発明は、請求項１〜５のいずれかに記載の発明において、前記点灯回路部及び前記イグナイタ部が、同一の基板に実装されることを特徴とする。この構成では、イグナイタ部及び点灯回路部を一体化することができるので、小型化を実現することができる。
【００１３】
請求項７に記載の発明は、請求項１〜６のいずれかに記載の発明において、前記イグナイタ部及び前記点灯回路部のうち少なくとも一方が、トランスと、前記トランスの巻線を内部に配線する基板とを備えることを特徴とする。この構成では、トランスの巻線を基板内に実装することができるので、小型化を実現することができる。
【００１４】
請求項８に記載の発明は、請求項１〜７のいずれか記載の放電灯点灯装置と、前記放電灯点灯装置により制御される放電灯と、前記放電灯の周囲に設けられる反射板と、前記反射板を内部に収納する灯具本体とを備えることを特徴とする。
【００１５】
この構成では、ケースを反射板又は灯具本体と同電位にして、放電灯から発生するノイズのシールド効果を高めることができるとともに、ソケット、イグナイタ部及び点灯回路部間をノイズシールド線で接続する必要がないので、低コスト化及び小型化を実現することができる。また、イグナイタ部から放電灯までの伝達経路におけるパルス電圧の減衰を低減することができる。
【００１６】
請求項９に記載の発明は、請求項８に記載の発明において、前記ケースが前記灯具本体に固定することを特徴とする。この構成では、ケースと灯具本体との間を防水するための部品を備える必要がないので、小型化を実現することができる。
【００１７】
請求項１０に記載の発明は、請求項８に記載の発明において、前記ケースが前記反射板に固定し、環状に形成され前記灯具本体と外周縁で接合し前記反射板と内周縁で接合する可動自在の弾性体を備えることを特徴とする。この構成では、灯具本体の内部を防水することができるとともに、車両等に搭載したときに、反射板を可動させることにより光軸調整を行うことができる。
【００１８】
請求項１１に記載の発明は、請求項８に記載の発明において、前記ケースが前記反射板に固定し、環状に形成され前記灯具本体と外周縁で接合し前記ケースと内周縁で接合する可動自在の弾性体を備えることを特徴とする。この構成では、灯具本体の内部を防水することができるとともに、車両等に搭載したときに、反射板を可動させることにより光軸調整を行うことができる。
【００１９】
請求項１２に記載の発明は、請求項８に記載の発明において、前記ケースを前記灯具本体に収納することを特徴とする。この構成では、小型化を実現することができる。
【発明の効果】
【００２０】
本発明によれば、放電灯から発生するノイズのシールド効果を高めることができ、低コスト化及び小型化を実現することができるとともに、イグナイタ部から放電灯までの伝達経路におけるパルス電圧の減衰を低減することができる。
【発明を実施するための最良の形態】
【００２１】
（実施形態１）
先ず、実施形態１の基本的な構成について図１〜３を用いて説明する。実施形態１の照明器具は、図２に示すように、例えば前照灯又は補助灯として用いられる車載用照明器具等であり、放電灯１と、灯具２と、放電灯点灯装置３とを備えている。
【００２２】
放電灯１は、図１に示すように、例えば、片口金構造を有する自動車用のＨＩＤランプ（ＨＩＤバルブ）等であり、口金部１０と、発光部１１と、発光部１１を覆うガラス管１２と、発光部１１の一端と接続する中心電極１３と、発光部１１の他端と接続する外側電極１４と、外側電極１４を覆う保護管１５とを備えている。なお、放電灯１は、防水タイプ（ＨＢ３、ＨＢ４等）、非防水タイプ（Ｈ３、Ｈ４等）の両方があり、用途、構造に応じて適宜選択することができる。
【００２３】
口金部１０は、フランジ１００を備えているとともに、一対の電極部（図示せず）を内部に備えている。フランジ１００は、一端面１００ａにおいて、灯具２（図２参照）に固定している。なお、実施形態１では、フランジ１００は、後述する反射板２２（図２参照）に固定している。また、一対の電極部のうち、一方は中心電極１３と接続し、他方は外側電極１４と接続している。発光部１１は、高電圧が印加されると光を放射する光源である。中心電極１３及び外側電極１４は、放電灯点灯装置３から電力が上記発光部１１に供給されるために、ガラス管１２の外部から発光部１１の近傍に配置されている。
【００２４】
灯具２は、図２に示すように、灯具本体２０と、シールパッキン２１と、反射板２２と、前面レンズ２３と、前面レンズシール部２４とを備えている。灯具本体２０は、例えば金属等の導電材料により箱状に形成されているものであり、開口部２００ａを有する底部２００と、底部２００から延設されている側部２０１とを一体に備えている。上記灯具本体２０は、放電灯１の発光部１１及び反射板２２を収納して外部環境から保護している。開口部２００ａには、放電灯１の口金部１０が挿入している。シールパッキン２１は、例えばゴム成形品、弾性樹脂等であり、灯具本体２０の底部２００と後述するケース４の左側面４０との間に設けられ、灯具２の内部を略防水環境に維持している。
【００２５】
反射板２２は、例えば金属等の導電材料により形成され、放電灯１の周辺に設けられるものであり、放電灯１から放射される光を予め決められた方向に導いている。前面レンズ２３は、透明性を有する材料により形成されているものであり、上記反射板２２により予め決められた方向に導かれた光を遮ることなく外部に放出している。前面レンズシール部２４は、例えばホットメトル等の接着剤、ゴムパッキン等により形成され、灯具本体２０と前面レンズ２３との間に設けられているものであり、灯具２の内部を略防水環境に維持している。
【００２６】
放電灯点灯装置３は、図１に示すように、ケース４と、ソケット５と、イグナイタ部６と、点灯回路部７とを備え、灯具本体２０の底部２００（図２参照）に沿って設けられている。
【００２７】
ケース４は、例えば金属等の導電材料により箱状に形成されているものであり、ソケット５に対してイグナイタ部６を点灯回路部７より近くに位置するように、ソケット５、イグナイタ部６及び点灯回路部７を収納している。上記ケース４は、灯具本体２０に直接固定している。固定方法しては、例えばねじ止めにより固定する方法、又はケース４を回転させてそれぞれの嵌合部（図示せず）を嵌合させて固定する方法等がある。また、ケース４は、左側面４０に接続部４１を備え、左側面４０及び下面４２にそれぞれ開口４０ａ，４２ａを有している。上記接続部４１は、図２に示すように、例えば金属等の導電材料により形成されているものであり、ケース４と灯具本体２０とを電気的に接続している。
【００２８】
上記より、ランプ電流が極性反転時に放電灯１から発生するＦＭ帯域、ＴＶ帯域のノイズを、高価なノイズシールド線を用いることなく低減することができる。
【００２９】
ソケット５は、例えばバヨネット締結構造により、開口４０ａに挿入されている放電灯１の口金部１０に嵌合して放電灯１を装着している。上記ソケット５は、口金部１０の一対の電極部（図示せず）と電気的に接続する一対の出力端子５０，５１を備え、後述するパルス電圧をイグナイタ部６から放電灯１に出力する電気的経路となっている。
【００３０】
イグナイタ部（放電灯始動装置）６は、コンデンサ６０、コンデンサ６０に並列接続している放電ギャップ（スイッチ要素）６１及びパルストランス６２を含む複数の電子部品を備え、放電灯１にパルス電圧を供給して放電灯１の点灯を始動させている。なお、上記複数の電子部品は、例えば、はんだ接続、ろう付け溶接、導電性接着剤等により、例えばプリント基板、樹脂基板等の基板６３上に実装されている。上記イグナイタ部６は、放電灯１が装着されない限り導通しないので、放電灯１が装着されていないときに高電圧が発生することを防止する安全機能を有している。
【００３１】
パルストランス６２の二次巻線は、高いパルス電圧を発生し、ソケット５の近くに配置している。これにより、途中の伝達経路が短いので、パルス電圧を発生したときに二次的に発生するコロナ電圧を防止するための絶縁距離等の確保を最小限にすることができる。
【００３２】
また、イグナイタ部６は、図３に示すように、フィルタ部６４を入力側（点灯回路部７側）に備えている。フィルタ部６４は、点灯回路部７側から順に、コンデンサ６４０と、インダクタ（フィルタチョーク）６４１と、コンデンサ６４２と、２つのコンデンサ（フィルタコンデンサ）６４３，６４４とを備え、コンデンサ６４３とコンデンサ６４４との間の接地電位を有する部分とケース４（図１参照）とを電気的に接続している。これにより、イグナイタ部６は、電磁シールド構造となり、ランプ電流が極性反転時に放電灯１から発生するＦＭ帯域、ＴＶ帯域のノイズを、高価なノイズシールド線を用いることなく低減することができる。なお、上記コンデンサ６４０，６４２，６４３，６４４及びインダクタ（フィルタチョーク）６４１は、例えば、はんだ接続、ろう付け溶接、導電性接着剤等により、基板６３（図１参照）上に実装されている。
【００３３】
点灯回路部７は、図３に示すように、直流電源（図示せず）側から順に、入力カプラ７６（電源供給口）と、入力フィルタ部７ａと、ＤＣ／ＤＣコンバータ部７ｂと、インバータ部７５と、制御部８とを備え、放電灯１の点灯を安定に制御している。なお、上記直流電源は、例えば１２Ｖの直流電圧を供給するものである。
【００３４】
入力カプラ７６は、図１に示すように、ケース４の下面４２の開口４２ａに装着し、直流電源（図示せず）から供給される直流電圧を複数の電子部品に出力している。入力フィルタ部７７ａは、図３に示すように、入力電解コンデンサ７２，７３を含んでいる。ＤＣ／ＤＣコンバータ部７ｂは、ＭＯＳＦＥＴ７０と、メイントランス７４とを備え、上記直流電源から供給される直流電圧を放電灯１の安定点灯に適する電圧に変換している。インバータ部７５は、矩形波フルブリッジモジュールであり、上記ＤＣ／ＤＣコンバータ部７ｂから入力される電圧を略矩形波状の交流電圧に変換している。また、インバータ部７５は、イグナイタ部６と接続している。
【００３５】
点灯回路部７をケース４に収納するにあたって、図１に示すように、ＭＯＳＦＥＴ７０、ダイオード７１等の発熱部品は、ソケット５とは反対側（図１の右側）に灯具本体２０の外部に露出するように設けられている。また、入力電解コンデンサ７２，７３、メイントランス７４及びインバータ部７５は、ソケット５側（図１の左側）に設けられている。なお、上記複数の電子部品は、例えば、はんだ接続、ろう付け溶接、導電性接着剤等により、基板７７上に実装されている。また、インバータ部７５は、例えば、はんだ接続、ろう付け溶接、導電性接着剤等により、基板６３上に実装されている。
【００３６】
制御部８は、図３に示すように、電源電圧監視部８０と、ＨＦ駆動回路部８１と、ＶＬＡ検出部８２と、ＩＬＡ検出部８３と、演算部８４と、ＬＦ駆動回路部８５とを備えている。電源電圧監視部８０は、直流電源（図示せず）から供給される直流電圧を検出している。ＶＬＡ検出部８２は、ＤＣ／ＤＣコンバータ部から出力される電圧の電圧値を検出している。ＩＬＡ検出部８３は、ＤＣ／ＤＣコンバータ部から出力される電流の電流値を検出している。演算部８４は、上記ＶＬＡ検出部８２及びＩＬＡ検出部８３が検出した電圧値及び電流値を入力し、予め決められた電力値になるように、ＨＦ駆動回路部８１に信号を出力する。ＨＦ駆動回路部８１は、上記信号に基づいてＭＯＳＦＥＴ７０のデューティ、周波数を制御するためのスイッチ信号を生成し、上記スイッチ信号をＭＯＳＦＥＴ７０に出力している。また、ＬＦ駆動回路部８５は、放電灯１の点灯状態に応じて、インバータ部の周波数を調整している。
【００３７】
以上、実施形態１によれば、ケース４を灯具本体２０と同電位にして、放電灯１から発生するノイズのシールド効果を高めることができるとともに、ソケット５、イグナイタ部６及び点灯回路部７間をノイズシールド線で接続する必要がないので、低コスト化及び小型化を実現することができる。また、イグナイタ部６から放電灯１までの伝達経路におけるパルス電圧の減衰を低減することができる。また、放電灯１からの発熱を点灯回路部７に伝えにくくすることができるとともに、発熱部品から発生する熱をケース４に効果的に逃がして冷却することができる。さらに、点灯回路部７の発熱部品をソケット５とは反対側（図１の右側）に設け、発熱部品の放熱効果を高めることができるので、発熱部品の温度をさらに高くすることができ、安価な部品を使用することができる。ケース４を灯具本体２０に直接固定することにより、ケース４と灯具本体２０との間を防水するための部品を備える必要がないので、小型化を実現することができる。
【００３８】
なお、実施形態１の変形例として、接続部は、ケースと反射板とを電気的に接続するものであってもよい。このような構成にしても、実施形態１と同様の効果を得ることができる。
【００３９】
また、実施形態１の他の変形例として、イグナイタ部が、パルス電圧を発生するために、放電ギャップに代わって、例えばサイリスタ等の他励トリガ回路方式の半導体スイッチ素子を備えてもよい。このような構成にしても、実施形態１と同様の効果を得ることができるとともに、他励トリガ回路方式により、パルス電圧の上限値を制限することができるので、小型化を実現することができる。
【００４０】
（実施形態２）
実施形態２の照明器具は、図４に示すように、放電灯１と、灯具２と、放電灯点灯装置３とを実施形態１の照明器具（図２参照）と同様に備えているが、実施形態１の照明器具にはない以下に記載の特徴部分がある。
【００４１】
実施形態２の照明器具は、環状に形成され、可動自在とする弾性体９を備えている。上記弾性体９は、底部２００と外周縁で接合し、反射板２２と内周縁で接合している。また、実施形態２のケース４は、反射板２２に固定している。固定方法しては、例えばねじ止めにより固定する方法、又はケース４を回転させてそれぞれの嵌合部（図示せず）を嵌合させて固定する方法等がある。なお、実施形態２の照明器具は、上記以外の点において、実施形態１の照明器具（図１参照）と同様である。
【００４２】
以上、実施形態２によれば、実施形態１と同様の効果を得ることができるとともに、灯具本体２０の内部を防水することができるとともに、車両等に搭載したときに、反射板２２を可動させることにより光軸調整を行うことができる。また、反射板を可動させることにより、ハイビームとロービームとを切り替えることができる。
【００４３】
（実施形態３）
実施形態３の照明器具は、図５に示すように、放電灯１と、灯具２と、放電灯点灯装置３とを実施形態１の照明器具（図２参照）と同様に備えているが、実施形態１の照明器具にはない以下に記載の特徴部分がある。
【００４４】
実施形態３の照明器具は、環状に形成され、可動自在とする弾性体９ａを備えている。上記弾性体９ａは、底部２００と外周縁で接合し、ケース４と内周縁で接合している。また、実施形態３のケース４は、反射板２２に固定している。固定方法しては、例えばねじ止めにより固定する方法、又はケース４を回転させてそれぞれの嵌合部（図示せず）を嵌合させて固定する方法等がある。なお、実施形態３の照明器具は、上記以外の点において、実施形態１の照明器具（図１参照）と同様である。
【００４５】
以上、実施形態３によれば、実施形態１と同様の効果を得ることができるとともに、灯具本体２０の内部を防水することができるとともに、車両等に搭載したときに、反射板２２を可動させることにより光軸調整を行うことができる。また、反射板を可動させることにより、ハイビームとロービームとを切り替えることができる。
【００４６】
（実施形態４）
実施形態４の放電灯点灯装置３は、図６に示すように、ケース４と、ソケット５と、イグナイタ部６と、点灯回路部７とを実施形態１の放電灯点灯装置３（図１参照）と同様に備えているが、実施形態１の放電灯点灯装置３にはない以下に記載の特徴部分がある。
【００４７】
実施形態４の放電灯点灯装置３は、点灯回路部７及びイグナイタ部６が、同一の基板６６に実装されている。パルストランス６２は、基板６６に挿入するように配置されている。なお、実施形態４の放電灯点灯装置３は、上記以外の点において、実施形態１の放電灯点灯装置３（図１参照）と同様である。
【００４８】
以上、実施形態４によれば、実施形態１と同様の効果を得ることができるとともに、イグナイタ部６及び点灯回路部７を一体化することができるので、小型化を実現することができる。
【００４９】
なお、実施形態４の変形例として、図７〜９に示すような放電灯点灯装置を用いてもよい。図７では、パルストランス６２は、ソケット５と位置をずらして配置されている。図８では、パルストランス６２は、基板６６ｃに挿入するとともに、ソケット５との位置をずらして配置されている。図９では、出力端子５０，５１の位置が異なるものである。これらのような構成にしても、実施形態４と同様の効果を得ることができる。
【００５０】
（実施形態５）
実施形態５の放電灯点灯装置３は、図１０に示すように、ケース４と、ソケット５と、イグナイタ部６と、点灯回路部７とを実施形態１の放電灯点灯装置３（図１参照）と同様に備えているが、実施形態１の放電灯点灯装置３にはない以下に記載の特徴部分がある。
【００５１】
実施形態５の放電灯点灯装置３において、点灯回路部７は、メイントランス７４の一次巻線７４０及び二次巻線７４１を内部に配線している基板７８を備えている。なお、実施形態５の放電灯点灯装置３は、上記以外の点において、実施形態１の放電灯点灯装置３（図１参照）と同様である。
【００５２】
以上、実施形態５によれば、実施形態１と同様の効果を得ることができるとともに、メイントランス７４の一次巻線７４０及び二次巻線７４１を基板７８内に配線することができるので、小型化を実現することができる。
【００５３】
なお、実施形態５の変形例として、図１１に示すように、パルストランス６２の一次巻線６２０、二次巻線６２１、及びメイントランス７４の一次巻線７４０及び二次巻線７４１を基板７８ａ内に配線してもよい。このような構成にしても、実施形態５と同様の効果を得ることができる。
【００５４】
（実施形態６）
実施形態６の照明器具は、図１２に示すように、放電灯１と、灯具２と、放電灯点灯装置３とを実施形態１の照明器具（図２参照）と同様に備えているが、実施形態１の照明器具にはない以下に記載の特徴部分がある。
【００５５】
実施形態６の照明器具は、放電灯点灯装置３を灯具本体２０の内部に収納している。上記灯具本体２０の内部は、非防水構造である。なお、実施形態６の照明器具は、上記以外の点において、実施形態１の照明器具（図１参照）と同様である。
【００５６】
以上、実施形態６によれば、実施形態１と同様の効果を得ることができるとともに、小型化を実現することができる。また、灯具本体２０の内部を防水構造にする必要がなく、非防水構造でよい。
【００５７】
なお、実施形態６の変形例として、図１３に示すように、接続部４１によりケース４と反射板２２とを電気的に接続したものであってもよい。このような構成にしても、実施形態６と同様の効果を得ることができる。
【図面の簡単な説明】
【００５８】
【図１】本発明による実施形態１の放電灯点灯装置及び放電灯の断面図である。
【図２】同上の照明器具の断面図である。
【図３】同上の放電灯点灯装置の回路図である。
【図４】本発明による実施形態２の照明器具の断面図である。
【図５】本発明による実施形態３の照明器具の断面図である。
【図６】本発明による実施形態４の放電灯点灯装置及び放電灯の断面図である。
【図７】同上の他の放電灯点灯装置及び放電灯における断面図である。
【図８】同上の他の放電灯点灯装置及び放電灯における断面図である。
【図９】同上の他の放電灯点灯装置及び放電灯であって、（ａ）は側面からの断面図、（ｂ）は正面からの断面図である。
【図１０】本発明による実施形態５の放電灯点灯装置及び放電灯の断面図である。
【図１１】同上の他の放電灯点灯装置及び放電灯における断面図である。
【図１２】本発明による実施形態６の照明器具の断面図である。
【図１３】同上の他の照明器具における断面図である。
【符号の説明】
【００５９】
１  放電灯
４  ケース
４０  左側面
４０ａ  開口
４１  接続部
５  ソケット
６  イグナイタ部
７  点灯回路部
【図１】
2006210009.tif 000003
【図２】
2006210009.tif 000004
【図３】
2006210009.tif 000005
【図４】
2006210009.tif 000006
【図５】
2006210009.tif 000007
【図６】
2006210009.tif 000008
【図７】
2006210009.tif 000009
【図８】
2006210009.tif 000010
【図９】
2006210009.tif 000011
【図１０】
2006210009.tif 000012
【図１１】
2006210009.tif 000013
【図１２】
2006210009.tif 000014
【図１３】
2006210009.tif 000015